(57)【要約】【課題】トイレ室への入退室を高い信頼性をもってかつ安価な構成によって検知できるトイレ装置を提供する。【解決手段】便器２と温水洗浄便座３を設置したトイレ室１の出入口４に開閉可能なドア５を配設し、ドア５またはその周囲に赤外線検知手段１２とその検知信号を無線送信する送信手段１５を有するドア開閉検知装置６を配設し、温水洗浄便座３の本体部７に、ドア開閉検知装置６からの検知信号の受信手段１７と受信した検知信号に基づいてトイレ室１に対する入室と退室を判定する入退室判定部１８を有する制御部１６を設けたもので、ドア５の開閉による人体が発する赤外線を検知して入退室を検知するようにした。【選択図】図１
2005120766.tif 000002
【特許請求の範囲】
【請求項１】
便器上に温水洗浄便座を設置したトイレ室の出入口に開閉可能なドアを配設し、前記ドアまたは前記ドアの周囲に赤外線を検知する手段と、検知信号を無線送信する送信手段を有するドア開閉検知装置を配設し、温水洗浄便座の本体部に、ドア開閉検知装置からの検知信号の受信手段と受信した検知信号に基づいてトイレ室に対する入室と退室を判定する入退室判定部を有する制御部を設けたトイレ装置。
【請求項２】
入退室判定部は、トイレ室から退室と判定されている状態でドア開閉検知装置からの検知信号を受信すると入室と判定し、その後所定時間内にドア開閉検知装置からの検知信号を受信したとき及び所定時間経過すると退室と判定する請求項１に記載のトイレ装置。
【請求項３】
便座上に着座している状態を検知する着座検知手段を設け、入退室判定部は、着座検知手段のオン検知状態ではドア開閉検知装置からの検知信号の有無に関わらず入室と判定する請求項１または２に記載のトイレ装置。
【請求項４】
便座上に着座している状態を検知する着座検知手段を設け、入退室判定部は、入室と判定した後着座検知手段がオン検知しない状態で所定時間経過すると退室と判定する請求項１〜３のいずれか１項に記載のトイレ装置。
【請求項５】
便座上に着座している状態を検知する着座検知手段を設け、入退室判定部は、着座検知手段のオン検知後、オフ検知から所定時間以内にドア開閉検知装置からの検知信号を受信したとき及びオフ検知から所定時間経過したときにトイレ室からの退室と判定する請求項１〜４のいずれか１項に記載のトイレ装置。
【請求項６】
便座の開閉状態を検知する便座開閉検知手段を設け、入退室判定部は、便座開閉検知手段の検知信号により便座が開かれたことを検知すると入室状態を維持していると判定する請求項１〜５のいずれか１項に記載のトイレ装置。
【請求項７】
入退室判定部は、便座が開かれたことを検知している状態でドア開閉検知装置からの検知信号を受信すると退室と判定する請求項６に記載のトイレ装置。
【請求項８】
入退室判定部は、便座が閉じられると赤外線の検知の有無に関わらず退室と判定する請求項６に記載のトイレ装置。
【請求項９】
制御部は、入室判定時には、便蓋の開動作と便座の控えめ運転解除と空調装置の強運転の少なくとも１つの動作を行う入室モード運転を行い、退室判定時には、便蓋の閉動作と便座の控えめ運転と空調装置の停止又は弱運転の少なくとも１つの動作を行う退室モード運転を行う請求項１〜８のいずれか１項に記載のトイレ装置。
【請求項１０】
送信手段は、高視野角に発光可能な発光部を有する請求項１に記載のトイレ装置。
【請求項１１】
送信手段は、微弱電波の発信部を有する請求項１に記載のトイレ装置。
【発明の詳細な説明】
【技術分野】
【０００１】
本発明は、特にトイレ室への入退室を的確に検知するようにしたトイレ装置に関するものである。
【背景技術】
【０００２】
従来から、トイレ室内に便器とその上の温水洗浄便座を設置したトイレ装置において、トイレ室への入室を検知して、温水洗浄装置の洗浄水の加熱を開始したり、空調装置や換気装置の運転開始や強運転への切り換えなどを行ったり、便蓋を開いたりするようにしたものは知られている。また、トイレ室への入室を検知する手段としては、赤外線検知センサを温水洗浄装置の本体部に配設したものが知られている（例えば、特許文献１参照）。
【０００３】
そして、検知センサとしては、赤外線検知センサや超音波検知センサ以外に光電式検知センサなどのその他のセンサなども用いられ、大別して焦電式と測距式に分けられる。
【特許文献１】特公平１−２２４０７号公報
【発明の開示】
【発明が解決しようとする課題】
【０００４】
しかしながら、測距式の場合、着衣の材質・色によって光の反射率が異なるために検知が不安定になったり、検知センサの配置場所と人との間の距離が異なると適切な検知ができなかったりするため、トイレ室毎、配設場所毎に距離感度を調整する必要があって使い勝手が悪く、さらに発光・受光を高精度に行って距離に換算する演算手段が必要であるため、コスト高になるという問題がある、また焦電式の場合、暖房便座の熱を感知し、人体と間違えて誤動作を引き起こすという問題があり、また両検知センサともに正面にいる人体を捕捉する光学系を有しているため、便蓋の開閉に関わらず人体が正面になる箇所とデザイン性とが両立しないという問題がある。
【０００５】
本発明は、前記従来の課題を解決するもので、トイレ室への入退室を高い信頼性をもってかつ安価な構成によって検知できるトイレ装置を提供することを目的としている。
【課題を解決するための手段】
【０００６】
前記従来の課題を解決するために、本発明のトイレ装置は、便器とその上の温水洗浄便座を設置したトイレ室の出入口に開閉可能なドアを配設し、ドアまたはその周囲に赤外線を検知する手段とその検知信号を無線送信する送信手段を有するドア開閉検知装置を配設し、温水洗浄便座の本体部に、ドア開閉検知装置からの検知信号の受信手段と受信した検知信号に基づいてトイレ室に対する入室と退室を判定する入退室判定部を有する制御部を設けたものである。
【０００７】
これにより、ドアの開閉に伴う人体が発する赤外線の検知に基づいて入退室を判定するので、複雑な調整を要することなく、使い勝手良く高い信頼性をもって検知でき、また温水洗浄便座の本体部では無線受信するだけであるので、デザインの自由度が高く、またドア開閉検知装置は赤外線検知手段と送信手段から成る極めて簡単な構成で安価に実施することができる。
【発明の効果】
【０００８】
本発明のトイレ装置は、トイレ室への入退室を高い信頼性をもってかつ安価な構成によって検知することができる。
【発明を実施するための最良の形態】
【０００９】
便器上に温水洗浄便座を設置したトイレ室の出入口に開閉可能なドアを配設し、ドアまたはドアの周囲に赤外線を検知する手段と、その検知信号を無線送信する送信手段を有するドア開閉検知装置を配設し、温水洗浄便座の本体部に、ドア開閉検知装置からの検知信号の受信手段と受信した検知信号に基づいてトイレ室に対する入室と退室を判定する入退室判定部を有する制御部を設けたトイレ装置とすることにより、ドアの開閉に伴う人体が発する赤外線の検知に基づいて入退室を判定するので、複雑な調整を要することなく、使い勝手良く高い信頼性をもって検知でき、また温水洗浄便座の本体部では無線受信するだけであるので、デザインの自由度が高く、またドア開閉検知装置は赤外線検知手段と送信手段から成る極めて簡単な構成で安価に実施することができる。
【００１０】
第２の発明は、特に、第１の発明における入退室判定部は、トイレ室から退室と判定されている状態でドア開閉検知装置からの検知信号を受信すると入室と判定し、その後所定時間内にドア開閉検知装置からの検知信号を受信したとき及び所定時間経過すると退室と判定することにより、検知信号の誤検出があっても所定時間後には常に退室にリセットされた状態となるので好適である。
【００１１】
第３の発明は、特に、第１または第２の発明において、便座上に着座している状態を検知する着座検知手段を設け、入退室判定部は、着座検知手段のオン検知状態ではドア開閉検知装置からの検知信号の有無に関わらず入室と判定することにより、ドア開閉検知装置と着座検知手段の検知信号の組み合わせによって、トイレ室への入退室を一層適切に判定することができる。
【００１２】
第４の発明は、特に、第１〜第３のいずれか１つの発明において、便座上に着座している状態を検知する着座検知手段を設け、入退室判定部は、入室と判定した後着座検知手段がオン検知しない状態で所定時間経過すると退室と判定することにより、ドア開閉検知装置と着座検知手段の検知信号の組み合わせによって、トイレ室への入退室を一層適切に判定することができる。
【００１３】
第５の発明は、特に、第１〜第４のいずれか１つの発明において、便座上に着座している状態を検知する着座検知手段を設け、入退室判定部は、着座検知手段のオン検知後そのオフ検知から所定時間以内にドア開閉検知装置からの検知信号を受信したとき及びオフ検知から所定時間経過したときにトイレ室からの退室と判定することにより、ドア開閉検知装置と着座検知手段の検知信号の組み合わせによって、トイレ室への入退室を一層適切に判定することができる。
【００１４】
第６の発明は、特に、第１〜第５のいずれか１つの発明において、便座の開閉状態を検知する便座開閉検知手段を設け、入退室判定部は、便座開閉検知手段の検知信号により便座が開かれたことを検知すると入室状態を維持していると判定することにより、便座の開閉検知の組み合わせによって、一層適切に入退室を判定することができる。
【００１５】
第７の発明は、特に、第１〜６のいずれか１つの発明において、入退室判定部は、便座が開かれたことを検知している状態でドア開閉検知装置からの検知信号を受信すると退室と判定することにより、便座の開閉検知の組み合わせによって、一層適切に入退室を判定することができる。
【００１６】
第８の発明は、特に、第８の発明において、入退室判定部は、便座が閉じられると赤外線の検知の有無に関わらず退室と判定することにより、便座の開閉検知の組み合わせによって、一層適切に入退室を判定することができる。
【００１７】
第９の発明は、特に、第１〜８のいずれか１つの発明において、制御部は、入室判定時には、便蓋の開動作と便座の控えめ運転解除と空調装置の強運転の少なくとも１つの動作を行う入室モード運転を行い、退室判定時には、便蓋の閉動作と便座の控えめ運転と空調装置の停止又は弱運転の少なくとも１つの動作を行う退室モード運転を行うことにより、トイレ室に対する入退室に応じて自動的に各種機器の運転切換が行われるので、快適にトイレを使用することができる。
【００１８】
第１０の発明は、特に、第１の発明において、送信手段は、高視野角に発光可能な発光部を有することにより、トイレ室におけるドアの配設場所やドア開閉検知装置の取り付け状態に関わらず確実に送受信できて好適である。
【００１９】
第１１の発明は、特に、第１の発明において、送信手段は、微弱電波の発信部を有することにより、トイレ室におけるドアの配設場所やドア開閉検知装置の取り付け状態に関わらず確実に送受信できて好適である。
【００２０】
以下、本発明の実施の形態について、図面を参照しながら説明する。なお、この実施の形態によって本発明が限定されるものではない。
【００２１】
（実施の形態）
図１（ａ）において、トイレ室１は、内部に便器２とその上の温水洗浄便座３が設置されている。トイレ室１の出入口４は、配設されたドア５にて開閉可能に閉じられている。ドア５またはその周辺部に、ドア５の開閉時に人体が発する赤外線を検知する手段とその検知信号を無線送信する送信手段を有するドア開閉検知装置６が取付けられている。温水洗浄便座３は、本体部７と、本体部７に対し便器２上に設置した状態と上方に立ち上げた状態との間で上下回動可能に取付けられた便座８と、同じく本体部７に開閉可能に取付けられた便蓋９と、便座８上に人が着座している状態を検知する着座検知手段１０と、便座８の開閉状態を検知する便座開閉検知手段１１と、洗浄ノズルから局部に温水を噴射して洗浄する洗浄手段（図示せず）を備えている。
【００２２】
ドア開閉検知装置６は、図１（ｂ）に示すように、赤外線を検知すると電気信号を出力する赤外線検知手段１２と、その出力信号を送信信号に変換処理するマイコン１４と、マイコン１４からの送信信号を高視野角に光信号として出力する発光部または微弱電波として出力する発信部から成る送信手段１５を備えている。
【００２３】
温水洗浄便座３の本体部７には、その動作制御を行う制御部１６が設けられている。この制御部１６には、ドア開閉検知装置６の送信手段１５から送信された無線信号を受信する受信手段１７と、受信手段１７で受信した信号と着座検知手段１０と便座開閉検知手段１１による検知信号に基づいてトイレ室１内に人が入室したか、退室したかを判定する入退室判定部１８を備えている。
【００２４】
入退室判定部１８においては、次のようなアルゴリズムによって入退室の判定が行われる。
【００２５】
（１）トイレ室１から退室と判定されている状態でドア開閉検知装置６からの検知信号を受信すると入室と判定する。
【００２６】
（２）入室と判定した後、着座検知手段１０がオン検知しない状態で所定時間（例えば、３分間）経過すると退室と判定する。
【００２７】
（３）着座検知手段１０のオン検知状態ではドア開閉検知装置６からの検知信号の有無に関わらず入室と判定する。
【００２８】
（４）着座検知手段１０のオン検知後そのオフ検知から所定時間（例えば、３分間）以内にドア開閉検知装置６からの検知信号を受信したときは退室と判定する。
【００２９】
（５）着座検知手段１０のオフ検知から所定時間（例えば、３分間）経過したときにはドア開閉検知装置６からの検知信号を受信しなくても退室と判定する。
【００３０】
（６）便座開閉検知手段１１の検知信号により便座８が開かれたことを検知すると、赤外線を検知しなければ入室状態を維持していると判定し、赤外線を検知すると退室と判定する。
【００３１】
（７）便座開閉検知手段１１の検知信号により便座８が開いた後閉じられると赤外線の検知の有無に関わらず退室と判定する。
【００３２】
このアルゴリズムによる判定を、図２、図３を参照して分説すると、ａは赤外線の検知のみの場合の判定で、検知から所定時間（例えば、３分間）は入室と判定し、所定時間経過すると退室と判定する。ｂは着座検知がある場合（人が便座８に着座して用便する場合）の判定で、着座を検知すると入室と判定し、着座検知オフから所定時間（例えば、３分間）内に赤外線を検知すると退室と判定し、所定時間が経過した後は赤外線を検知しなくても退室と判定し、所定時間が経過した後赤外線を検知すると入室と判定する。ｃは便座８に着座されずに、便座８が開かれた場合（男性の小用の場合）の判定で、便座８を開いた状態では、赤外線を検知しないときは入室を維持していると判定し、赤外線を検知すると退室と判定し、閉じられると赤外線の検知の有無に関わらず退室と判定する。
【００３３】
そして、制御部１５は、入室したと判定すると入室モードの制御を行い、退室したと判定すると退室モードの制御を行う。入室モード制御は、便蓋開閉装置１９を作動させて便蓋９を開動作させ、また便座８を加温する便座加熱装置２０の控えめ運転を解除して所定温度に速やかに達するように加熱し、また冷房や暖房や換気を行う空調装置２１を強運転する。逆に、退室モード制御は、便蓋開閉装置１９を作動させて便蓋９を閉動作させ、また便座８を加温する便座加熱装置２０を控えめ運転に切り換え、また空調装置２１を弱運転若しくは停止する。
【００３４】
なお、上記実施の形態におけるドア５は、開閉自在に枢支されたヒンジドアとレールに沿ってスライドするスライドドアの何れでも良く、ヒンジドアの場合は、ドア開閉検知装置６をドアとドア枠の周辺の何れに配設しても良く、スライドドアの場合は、周囲の部材と干渉する恐れがあるのでドアではなくドア枠の周辺部に配設するのが好ましい。
【００３５】
以上のように、本実施の形態においては、ドア５の開閉に伴う人体が発する赤外線の検知に基づいて入退室を判定するので、複雑な調整を要することなく、使い勝手良く高い信頼性をもって検知でき、また温水洗浄便座３の本体部７では無線受信するだけであるので、デザインの自由度が高く、またドア開閉検知装置６は赤外線検知手段１２と送信手段１５から成る極めて簡単な構成で安価に実施することができる。
【００３６】
また、入退室判定部１８は、トイレ室１から退室と判定されている状態でドア開閉検知装置６からの検知信号を受信すると入室と判定し、その後所定時間内にドア開閉検知装置６からの検知信号を受信したとき及び所定時間経過すると退室と判定すると、検知信号の誤検出があっても所定時間後には常に退室にリセットされた状態となるので好適である。
【００３７】
また、便座８上に着座している状態を検知する着座検知手段１０を設け、入退室判定部１８は、着座検知手段１０のオン検知状態ではドア開閉検知装置６からの検知信号の有無に関わらず入室と判定し、また入室と判定した後着座検知手段１０がオン検知しない状態で所定時間経過すると退室と判定し、また着座検知手段１０のオン検知後そのオフ検知から所定時間以内にドア開閉検知装置６からの検知信号を受信したとき及びオフ検知から所定時間経過したときにトイレ室１からの退室と判定するようにすると、ドア開閉検知装置６と着座検知手段１０の検知信号の組み合わせによって、トイレ室１への入退室を一層適切に判定することができる。
【００３８】
また、便座８の開閉状態を検知する便座開閉検知手段１１を設け、入退室判定部１８は、便座開閉検知手段１１の検知信号により便座８が開かれたことを検知すると入室状態を維持していると判定し、また便座８が開かれたことを検知している状態でドア開閉検知装置６からの検知信号を受信すると退室と判定し、また便座８が閉じられると赤外線の検知の有無に関わらず退室と判定するようにすると、便座８の開閉検知の組み合わせによって、一層適切に入退室を判定することができる。
【００３９】
また、制御部１６は、入室判定時には、便蓋９の開動作と便座８の控えめ運転解除と空調装置２１の強運転の少なくとも１つの動作を行う入室モード運転を行い、退室判定時には、便蓋９の閉動作と便座８の控えめ運転と空調装置２１の停止または弱運転の少なくとも１つの動作を行う退室モード運転を行うようにすると、トイレ室１に対する入退室に応じて自動的に各種機器の運転切換が行われるので、快適にトイレを使用することができる。
【００４０】
また、送信手段としては、高視野角に発光可能な発光部を有するものや、微弱電波の発信部を有するものが、トイレ室１におけるドア５の配設場所やドア開閉検知装置６の取付状態に関わらず確実に送受信できて好適である。
【産業上の利用可能性】
【００４１】
以上のように、本発明にかかるトイレ装置は、ドアの開閉に伴う人体が発する赤外線の検知に基づいて入退室を判定するので、複雑な調整を要することなく、使い勝手良く高い信頼性をもって検知でき、また温水洗浄便座の本体部では無線受信するだけであるので、デザインの自由度が高く、またドア開閉検知装置は赤外線検知手段と送信手段から成る極めて簡単な構成で安価に実施することができ、トイレ室に設置した温水衛生洗浄装置として有用である。
【図面の簡単な説明】
【００４２】
【図１】（ａ）本発明の実施の形態におけるトイレ装置の概略構成図（ｂ）ドア開閉赤外線検知装置の構成図
【図２】同実施の形態における入室モードと退室モードの判定の説明図
【図３】同実施の形態におけるトイレ室に対する入退室動作と入室モードと退室モードの判定を示すのタイムチャート
【符号の説明】
【００４３】
１  トイレ室
２  便器
３  温水洗浄便座
４  出入口
５  ドア
６  ドア開閉検知装置
８  便座
１０  着座検知手段
１１  便座開閉検知手段
１２  赤外線検知手段
１５  送信手段
１６  制御部
１７  受信手段
１８  入退室判定部
１９  便蓋開閉装置
２０  便座加熱装置
２１  空調装置
【図１】
2005120766.tif 000003
【図２】
2005120766.tif 000004
【図３】
2005120766.tif 000005